(57)【要約】【課題】天井への固定を確実に行うことができるとともに断熱材等の構造材との良好な組付けを行うことができる照明器具を提供する。【解決手段】照明器具１０は、光源を収容する器具本体１１と、器具本体１１の下部に設けられ天井の開口孔の下側の縁に当接する枠１２と、器具本体１１を天井に保持させるための一対の取付バネ１３，１４と、を備え、取付バネ１３，１４はその最上部が器具取付状態において器具本体１１の上面よりも高い位置に配置され、上面に下方に向けて外力が加わった時に天井の面側に撓む。【選択図】図１
2010176891.tif 000002
【特許請求の範囲】
【請求項１】
光源を収容する器具本体と、
前記器具本体の下部に設けられ天井の開口孔の下側の縁に当接する枠と、
前記器具本体を前記天井に保持させるための一対の取付バネと、
を備えた照明器具において、
前記取付バネはその最上部が器具取付状態において前記器具本体の最上部よりも高い位置に配置され、最上部に下方に向けて外力が加わった時に前記天井の面側に撓むことを特徴とする照明器具。
【請求項２】
前記一対の取付バネは前記器具本体の上方位置において重なり合っていることを特徴とする請求項１記載の照明器具。
【発明の詳細な説明】
【技術分野】
【０００１】
本発明は、例えば天井に形成された開口孔に埋設されて床面等を照明する埋込み型の照明器具に関する。
【背景技術】
【０００２】
従来の照明器具の一例として、板バネを折り曲げ加工することにより押圧片部と折曲片部とを備えた取付金具を具備したものが知られている（例えば特許文献１参照）。
【０００３】
上記特許文献１に開示された照明器具において、取付金具は一端側を器具本体の外周面の下部に固定し、他端側を上方に延出する板バネからなる。照明器具は天井の開口孔への取り付けにあたり、開口孔の縁部に押圧片部を押圧することにより挟持して取り付けるようにしている。
【先行技術文献】
【特許文献】
【０００４】
【特許文献１】特開平９−１２９０２４号公報（図１、請求項１）
【発明の概要】
【発明が解決しようとする課題】
【０００５】
通常、ダウンライト等の埋込み型の照明器具の天井への固定に際しては、取付金具と枠とにより天井板を挟み込んで固定を行っている。しかし、このような取付金具方式の場合、器具本体の内側より取付金具を操作して固定する必要があるために、器具本体の内側より操作する場合にバネ方式により天井板へ固定する方法が一般的である。
【０００６】
上記特許文献１に開示された照明器具は上記したバネ方式であり、このようなバネ方式の場合、バネの広がる力により枠とバネとで天井板の開口孔に対して固定を行っている。しかし、照明器具の重量が大きい場合や照明器具の上部に断熱材等の構造材が載置される場合、天井板への固定を確実に行うことができずに垂れを生ずる虞がある。
【０００７】
このような問題点を解決するために、バネの本数を増やすか、或いはバネの保持力を挙げるかがあるが、それらの場合、施工性が悪くなって現実的ではない。
【０００８】
特に、照明器具の上部に断熱材が載置される場合、照明器具の発した熱を断熱材に直接伝えてしまうために、断熱構造材として機能する断熱材の特性に支障を生ずる虞がある。
【０００９】
本発明は、前述した課題を解決するためになされたものであり、その目的は、天井への固定を確実に行うことができるとともに断熱材等の構造材との良好な組付けを行うことができる照明器具を提供することにある。
【課題を解決するための手段】
【００１０】
本発明に係る照明器具は、光源を収容する器具本体と、前記器具本体の下部に設けられ天井の開口孔の下側の縁に当接する枠と、前記器具本体を前記天井に保持させるための一対の取付バネと、を備えた照明器具において、前記取付バネはその最上部が器具取付状態において前記器具本体の最上部よりも高い位置に配置され、最上部に下方に向けて外力が加わった時に前記天井の面側に撓むことを特徴とする。
【００１１】
本発明においては、取付バネは天井の開口孔に挿入されることにより自ら弾性変形して器具本体を天井に保持する。そして、この取付状態において、取付バネの最上部は器具本体の最上部よりも高い位置に配置される。
これにより、照明器具の上部に断熱材等の構造材が載置されたとしても、取付バネは構造材を器具本体から離して配置することができる。
従って、天井への固定を確実に行うことができるとともに断熱構造材として機能する断熱材等の構造材の特性に支障を生ずることがない。
【００１２】
本発明においては、器具本体を天井に保持して取り付けた状態において、取付バネは最上部に下方に向けて外力が加わった時に天井の面側に撓む。
これにより、断熱材等の構造材の重量により天井の面側に撓んで構造材の重量を器具本体に直接作用させることがない。
従って、構造材との良好な組付けを行うことができる。
【００１３】
本発明に係る照明器具は、上記照明器具において、前記一対の取付バネは前記器具本体の上方位置において重なり合っていることを特徴とする。
【００１４】
本発明においては、重なり合っている一対の取付バネのうちの上部に配置される一方に断熱材等の構造材が載置された場合、構造材の重量を一方の取付バネおよび他方の取付バネに分散する。
従って、構造材の重量を器具本体に集中して作用させないようにして器具本体への負担を軽減することができる。
【発明の効果】
【００１５】
本発明の照明器具によれば、光源を収容する器具本体と、器具本体の下部に設けられ天井の開口孔の下側の縁に当接する枠と、器具本体を天井に保持させるための一対の取付バネと、を備え、取付バネはその最上部が器具取付状態において器具本体の最上部よりも高い位置に配置され、最上部に下方に向けて外力が加わった時に天井の面側に撓む。
これにより、天井への固定を確実に行うことができるとともに断熱材等の構造材との良好な組付けを行うことができるという効果を有する。
【図面の簡単な説明】
【００１６】
【図１】本発明に係る第１実施形態の照明器具の正面図
【図２】図１に示した照明器具の天井への取り付け後の正面図
【図３】図２に示した照明器具の平面図
【図４】図２に示した照明器具の側面図
【図５】図２に示した照明器具の応力作用図
【図６】図２に示した照明器具における断熱材との応力作用図
【図７】図６に示した照明器具における天井板が薄く、開口孔が大きい場合の断熱材との応力作用図
【図８】図６に示した照明器具における天井板が厚く、開口孔が小さい場合の断熱材との応力作用図
【図９】本発明に係る第２実施形態の照明器具の天井への取り付け後の正面図
【図１０】図９に示した照明器具の平面図
【図１１】図２に示した照明器具の側面図
【図１２】図２に示した照明器具における断熱材との組み付けの説明図
【発明を実施するための形態】
【００１７】
以下、本発明の複数の実施形態に係る照明器具について、図面を参照して説明する。
【００１８】
（第１実施形態）
図１に示すように、本発明の第１実施形態である照明器具１０は、器具本体１１と、器具本体１１の下部に設けられた枠部１２と、器具本体１１の下部に取り付けられた一対の第１、第２取付バネ１３，１４と、を備える。
【００１９】
器具本体１１は円柱形状に形成されており、不図示の光源を内装している。枠部１２は器具本体１１の下端部にフランジ形状に突出形成されている。
【００２０】
第１取付バネ１３は、機械構造用鋼製の板バネを折り曲げ加工することにより成形されており、その基端部に第１開口孔嵌入部１５を有する。第１開口孔嵌合部１５はＶ字形状に折曲されており、器具本体１１に近づく縮み側と器具本体１１から離れる伸び側とに弾性変形する。
【００２１】
第１取付バネ１３は、その中間部から先端部に第１上方延出部１６を有する。第１上方延出部１６は第１開口孔嵌合部１５の端部からコ字形状に器具本体１１の上方へ向けて延出している。
【００２２】
第２取付バネ１４は、第１取付バネ１３と同一の構造を有して対をなすために、その基端部に第２開口孔嵌入部１７を有し、その中間部から先端部に第２上方延出部１８を有する。
【００２３】
次に、照明器具１０の詳細構造および取付けについて説明する。
【００２４】
図２，３，４にも示すように、天井板１には照明器具１０を取り付けるための開口孔２が形成されている。天井板１は厚さ寸法Ｔ１を有し、開口孔２は内径寸法Ｄ１を有する。第１取付バネ１３と第２取付バネ１４とは器具本体１１を中心として対向配置されている。
【００２５】
照明器具１０は第１、第２取付バネ１３，１４のそれぞれの先端部を重ね合わせるようにまとめてから器具本体１１の上面１９を先にして開口孔２の下方から進行される。このとき、第１、第２取付バネ１３，１４はそれぞれの第１、第２開口孔嵌合部１５，１７を器具本体１１に近づかせる縮み側に弾性変形させる。
【００２６】
そして、照明器具１０は、その枠部１２が天井板１の下面に当接することにより進行を停止する。
これにより、枠部１２を天井板１の下面に当接した状態において第１、第２取付バネ１３，１４の第１、第２開口孔嵌入部１５，１７が器具本体１１から離れる伸び側に弾性復帰する。
従って、第１、第２開口孔嵌入部１５，１７が開口孔２に係止されて照明器具１０を天井板１に保持することができる。
【００２７】
照明器具１０を天井板１に取り付けた際に、第１、第２取付バネ１３，１４は、それらの第１、第２上方延出部１６，１８の最上部２０，２１を器具本体１１の上面１９よりも高い位置に配置させる。
【００２８】
図５にも示すように、照明器具１０を天井板１に取り付けた状態では、第１、第２取付バネ１３，１４の第１、第２開口孔嵌入部１５，１７に生じている弾性反発力Ｆ０により創生される開口孔２に向けた分力Ｆ０１は床面に向けた分力Ｆ０２よりも大きくなる。
よって、照明器具１０の自重Ｆ１と第１、第２取付バネ１３，１４に生じている分力Ｆ０２との関係は、Ｆ０２×２＞Ｆ１となる。
従って、照明器具１０を垂らすことなく開口孔２に確実に保持することができる。
【００２９】
次に、照明器具１０の上部に断熱材３が載置される場合について説明する。
【００３０】
断熱材３は、けい砂、石英石、苦石灰、長石、ソーダ灰などを高温で溶かして繊維状にし、熱硬化性の接着剤を吹き付けて加圧成形したグラスウール、スラグや玄武岩などを１５００〜１６００℃の高温で溶かし、繊維化した綿状の断熱材としてからフェノール樹脂を加えてフェルト状やマット状にしたロックウール等である。
【００３１】
図６に示すように、断熱材３は照明器具１０の上部に載置されることにより、第１取付バネ１３の第１上方延出部１６の最上部２０に対して荷重Ｆ２／２を与え、第１上方延出部１６を撓ませて第１開口孔嵌入部１５に弾性反発力Ｆ０’を創生する。
【００３２】
同様に、第２取付バネ１４の第２上方延出部１８の最上部２１に対して荷重Ｆ２／２を与え、第２上方延出部１８を撓ませて第２開口孔嵌入部１７に弾性反発力Ｆ０’を創生する。
【００３３】
このとき、第１、第２取付バネ１３，１４は断熱材３を器具本体１１から離して配置する。
これにより、天井板１，４，６への固定を確実に行うことができるとともに器具本体１１を断熱材３から離すことにより断熱材３に器具本体１１の発する熱等の影響を与えないようすることができる。
【００３４】
そして、第１、第２取付バネ１３，１４の第１、第２開口孔嵌入部１５，１７に生じている開口孔２に向けた分力Ｆ０１’は床面に向けた分力Ｆ０２’よりも大きくなる。
よって、照明器具１０の自重Ｆ１と断熱材３の自重Ｆ２と第１、第２取付バネ１３，１４に生じている分力Ｆ０２との関係は、Ｆ１＋Ｆ２＜Ｆ０２’×２となる。
従って、断熱材３が上部に載置された照明器具１０を垂らすことなく開口孔２に確実に保持することができる。
さらに、第１、第２取付バネ１３，１４は最上部２０，２１に下方に向けて外力が加わった時に天井板１，４，６の面側に撓む。
これにより、断熱材３の重量により天井板１，４，６の面側に撓んで断熱材３の重量を器具本体１１に直接作用させることがない。
【００３５】
ところで、天井板１の開口孔２および天井板１の厚さ寸法にはばらつきがある。次に、これらのばらつきに対応する場合について説明する。
【００３６】
図７に示すように、上記厚さ寸法Ｔ１よりも小さい厚さ寸法Ｔ２を有する天井板４に上記内径寸法Ｄ１よりも大きい内径寸法Ｄ２を有する開口孔５が形成されている場合、照明器具１０は、その枠部１２を天井板１の下面に当接した状態において、厚さ寸法Ｔ２に関わらず第１、第２取付バネ１３，１４の第１、第２開口孔嵌入部１５，１７が内径寸法Ｄ２の開口孔５に応じて器具本体１１から離れる伸び側に大きいストロークで弾性復帰する。
これにより、第１、第２開口孔嵌入部１５，１７が開口孔２に係止されて照明器具１０を天井板１に保持することができる。
【００３７】
図８に示すように、上記厚さ寸法Ｔ１よりも大きい厚さ寸法Ｔ３を有する天井板６に上記内径寸法Ｄ１よりも小さい内径寸法Ｄ３を有する開口孔７が形成されている場合、照明器具１０は、その枠部１２を天井板１の下面に当接した状態において、厚さ寸法Ｔ３に関わらず第１、第２取付バネ１３，１４の第１、第２開口孔嵌入部１５，１７が内径寸法Ｄ３の開口孔７に応じて器具本体１１から離れる伸び側に小さいストロークで弾性復帰する。
これにより、第１、第２開口孔嵌入部１５，１７が開口孔２に係止されて照明器具１０を天井板１に保持することができる。
【００３８】
本実施形態の照明器具１０では、第１、第２取付バネ１３，１４は天井板１，４，６の開口孔２，５，７に挿入されることにより自ら弾性変形して器具本体１１を天井板１，４，６に保持する。そして、この取付状態において、第１、第２取付バネ１３，１４の最上部２０，２１は器具本体１１の上面１９よりも高い位置に配置される。
これにより、器具本体１１の上部に断熱材３が載置されたとしても、第１、第２取付バネ１３，１４は断熱材３を器具本体１１から離して配置することができる。
従って、天井板１，４，６への固定を確実に行うことができるとともに構造材として機能する断熱材３の特性に支障を生ずることがない。
【００３９】
本実施形態の照明器具１０では、器具本体１１を天井板１，４，６に保持して取り付けた状態において、第１、第２取付バネ１３，１４は最上部２０，２１に下方に向けて外力が加わった時に天井板１，４，６の面側に撓む。
これにより、断熱材３の重量により天井板１，４，６の面側に撓んで断熱材３の重量を器具本体１１に直接作用させることがない。
従って、断熱材３との良好な組付けを行うことができる。
【００４０】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００４１】
図９，１０，１１にも示すように、本発明の第２実施形態の照明器具３０は、器具本体１１の上方位置において重なり合う一対の第１、第２取付バネ３１，３２を備えている。
【００４２】
第１取付バネ３１は上述した第１実施形態の第１取付バネと同様に形成されている。第２取付バネ３２は、その先端部３３を器具本体１１上において第１取付バネ３１の先端部３４の上部に予め定められた距離だけ離れた位置に重ねて延出している。
【００４３】
図１２にも示すように、このような照明器具３０は、器具本体１１の上部に断熱材３が載置されて第２取付バネ３２に断熱材３の自重が与えられた場合、断熱材３の自重を第２取付バネ３２と第１取付バネ３１とに分散する。
【００４４】
本実施形態の照明器具３０では、断熱材３の重量を第１、第２取付バネ３１，３２に分散する。
これにより、断熱材３の重量を器具本体１１に集中して作用させないようにして器具本体１１への負担を軽減することができる。
【００４５】
なお、前記各実施形態で使用した器具本体１１、枠部１２等は例示したものに限定するものではなく適宜変更が可能である。
【符号の説明】
【００４６】
１  天井板（天井）
２  開口孔
４  天井板（天井）
５  開口孔
６  天井板（天井）
７  開口孔
１０  照明器具
１１  器具本体
１２  枠部（枠）
１３  第１取付バネ（取付バネ）
１４  第２取付バネ（取付バネ）
３０  照明器具
３１  第１取付バネ（取付バネ）
３２  第２取付バネ（取付バネ）
【図１】
2010176891.tif 000003
【図２】
2010176891.tif 000004
【図３】
2010176891.tif 000005
【図４】
2010176891.tif 000006
【図５】
2010176891.tif 000007
【図６】
2010176891.tif 000008
【図７】
2010176891.tif 000009
【図８】
2010176891.tif 000010
【図９】
2010176891.tif 000011
【図１０】
2010176891.tif 000012
【図１１】
2010176891.tif 000013
【図１２】
2010176891.tif 000014